(57)【特許請求の範囲】
【請求項１】
直方形の背面ケースと中仕切との間に電子素子等が取り付けられるプリント基板を備え、前記背面ケースと中仕切との間にパッキンを装着し、背面ケースと中仕切の間への水の侵入を防止し、前面を覆う前面ケースを背面ケースに装着する風呂リモコンに於いて、背面ケースと中仕切との左右端又は上下端にネジ止め部を設け、このネジ止め部のない上下端又は左右端に係合部を設けたことを特徴とする風呂リモコン。
【請求項２】
前記ネジ止め部は、背面ケースにネジ穴用のボスを、中仕切にネジ穴を設け、背面ケースに垂直にネジ止めすると共に、係合部は背面ケース周囲の前側に形成した縁部の内側に凹部を備え、この凹部に対向して中仕切の周囲に爪部を設けたことを特徴とする請求項１記載の風呂リモコン。
【発明の詳細な説明】
【技術分野】
【０００１】
この発明は浴室内の壁面に取り付けて使用され給湯機等を制御する風呂リモコンに関するものである。
【背景技術】
【０００２】
従来の給湯機等を制御する風呂リモコンは、樹脂にて形成され背面を覆う背面ケースと、前面を覆う前面ケースとの間の内部に、発光表示体やスイッチ類やその他電子素子が取り付けられるプリント基板等を備え、背面ケースと前面ケースの間にゴムパッキンを装着した後、全周をネジ止めして水の侵入を防止していた。（例えば、特許文献１参照）
【特許文献１】特開平６−２２９６２４号公報
【発明の開示】
【発明が解決しようとする課題】
【０００３】
しかしながら、この従来の構成は、背面ケースと前面ケースの間の全周にゴムパッキンを装着し、背面ケース、前面ケースの全周をネジ止めすることにより、ケース内への水の侵入を防ぐ構造であるが、ケースの全周をネジ止めしているため、防水性能には問題ないが、ネジ止め部分のスペースがリモコンの全周であり、ケース全体が大きくなる問題が有った。
またネジ止めを廃止して、爪等の係合のみによりケースの組み立てを行う構造にすることでコンパクトなリモコンにすることは可能であるが、防水性能の低下やメンテナンス性に問題が発生するものであった。
【課題を解決するための手段】
【０００４】
この発明はこの点に着目し、上記欠点を解決する為、特にその構成を、直方形の背面ケースと中仕切との間に電子素子等が取り付けられるプリント基板を備え、前記背面ケースと中仕切との間にパッキンを装着し、背面ケースと中仕切の間への水の侵入を防止し、前面を覆う前面ケースを背面ケースに装着する風呂リモコンに於いて、背面ケースと中仕切との左右端又は上下端にネジ止め部を設け、このネジ止め部のない上下端又は左右端に設けたものである。
【０００５】
また前記ネジ止め部は、背面ケースにネジ穴用のボスを、中仕切にネジ穴を設け、背面ケースに垂直にネジ止めすると共に、係合部は背面ケース周囲の前側に形成した縁部の内側に凹部を備え、この凹部に対向して中仕切の周囲に爪部を設けたものである。
【発明の効果】
【０００６】
この発明によれば、充分な防水性能とメンテナンス性を兼ね備えながらリモコンの縦又は横の大きさをコンパクトにすることができる。
【発明を実施するための最良の形態】
【０００７】
次にこの発明の一実施形態を図面に基づき説明する。
図において風呂リモコン１は横長直方形で、背面ケース２と前面ケース３とで外郭を形成しており、背面ケース２の略中央に設けられた、配線用穴４から給湯機や電気温水器等の熱源（図示せず）に連絡電線（図示せず）が接続されている。
前記風呂リモコン１は背面ケース２の前方に蛍光表示管等の発光表示体５や押圧スイッチ等のスイッチ類６やその他電子素子が取り付けられるプリント基板７を備えている。
８は半透明の樹脂にて形成された中仕切で、前記背面ケース２との間にゴムパッキン９を装着し、前記背面ケース２に中仕切８をビス止めして内部への水の侵入を防止している。
【０００８】
前記背面ケース２の左右端にはネジ止め用のボス１０が左右３カ所ずつ形成され、このボス１０に対向する中仕切８にはネジ穴１１を設け、ネジ１２にて背面ケース２に垂直にネジ止めするネジ止め部１３を備え、ネジ止めにより背面ケース２左右と中仕切８の間のゴムパッキン９を押圧して密封するものである。
【０００９】
前記背面ケース２の周囲は前方に突出した縁部１４が形成され、この上下縁部１４の内側には凹部１５が３カ所ずつ設けられ、この凹部１５に対向する中仕切８には爪部１６が突出し、前記凹部１５と爪部１６で係合部１７を形成し、この爪部１６が背面ケース２の凹部１５に係合することで、ゴムパッキン９を押圧して、背面ケース２と中仕切８の間を密封するものである。また前記縁部１４の端部外周にはビード部１４ａが設けられることで、水の侵入を更に防ぐことができるものである。
【００１０】
前記中仕切８は円柱状で且つ、軟質の樹脂材料で形成されるスイッチ押圧部１８を左右に各３カ所、下部に３カ所設け、中央から上部にかけて形成される表示部１９を含む、前記スイッチ押圧部１８以外の部分は硬質の樹脂材料で形成し、軟質樹脂、硬質樹脂を一体に形成する２色成型によって製造されている。また前記中仕切８の上下端部には、３カ所ずつの係止腕２０を備えている。
【００１１】
前記前面ケース３の周囲は後方に突出した後縁部２１が形成され、この後縁部２１の内側上下の、前記係止腕２０に対向する内側には、この係止腕２０に係止して前面ケース３を背面ケース２に取り付ける突起部２２が上側３カ所、下側３カ所設けられている。また前記スイッチ押圧部１８と表示部１９に対向する部分は穴２３が形成され、中仕切８の表示部１９は前面ケース３と同平面に設けると共に外表面を形成する。
【００１２】
また前記表示部１９以外の前面ケース３表面には、薄板状のシール２４が粘着剤にて貼り付けられ、このシール２４を介してスイッチ押圧部１８を押圧することで、風呂リモコンの操作を行うものである。
【００１３】
このように、リモコンの左右方向をネジ止めによって充分な防水性能を兼ね備えながら、上下方向は爪による係止構造とすることで、リモコンの縦方向の寸法を小さくしてコンパクトにすることができるものである。また、この実施例では左右方向をネジ止め、上下方向を爪による係止構造にしたが、左右方向を爪による係止構造、上下方向をネジ止めの構造にしても同じ効果が得られるものである。また前記背面ケース２に備えた縁部１４の端部外周にはビード部１４ａが設けられることで、水の侵入を更に防ぐことができるものである。
【００１４】
風呂リモコン１の組み立て手順を説明すれば、背面ケース２にプリント基板７をネジ又は爪係合（図示せず）により取り付け、中仕切８と背面ケース２の間にゴムパッキン９を取り付けた後に、中仕切８の上下の爪部１６を背面ケース２の凹部１５に合わせて押圧すれば、中仕切８は背面ケース２に仮止め状態で固定される。次に左右のネジ穴１１にネジ１２をねじ込めば、中仕切８と背面ケース２はゴムパッキン９を介して密閉される。
【００１５】
次に、予め前面にシール２４を貼り付けた前面ケース３の穴２２を表示部１８に合わせて、前面ケース３の上下端部を背面ケース２に押しつければ、中仕切８の係止腕１９に前面ケース３の突起部２１が係止して背面ケース２と前面ケース３が嵌合して組み立てが完了する。
【００１６】
風呂リモコン１に水が浴びせられた場合には、大部分の水は背面ケース２に備えたビード部１４ａによってリモコン内に侵入することが防止される。そして中仕切８と前面ケース３の間に侵入した少量の水も、プリント基板７等の電子部品が設けられている中仕切８と背面ケース２の間には充分な防水性能によって侵入できないものである。
【図面の簡単な説明】
【００１７】
【図１】この発明一実施形態の分解斜視図。
【図２】同正面図。
【図３】同A-A拡大断面図。
【符号の説明】
【００１８】
２  背面ケース
３  前面ケース
８  中仕切
９  ゴムパッキン
１３  ネジ止め部
１５  凹部
１６  爪部
１７  係合部
【図１】
0004708261.tif 000002
【図２】
0004708261.tif 000003
【図３】
0004708261.tif 000004